(57)【要約】【課題】省エネ化を図りつつ処理室内の処理対象物を所望の温度の空気に晒す。【解決手段】環境形成装置に、処理対象物を収容可能な処理室と、空気の温度を調整して処理室内に供給する主空調部と、処理室内の複数の位置の各々に対して個別に設けられ、空気の温度を調整して各位置に供給する補助空調部と、前記複数の位置とは異なる位置で空気の温度を検出する室温検出部と、前記複数の位置の各々に対して個別に設けられ、各位置で空気の温度又は処理対象物の温度を検出する温度検出部と、室温検出部による検出温度に基づいて主空調部による空気の温度調整を行いつつ、複数の位置のうち第一位置とは異なる第二位置に対応する温度検出部による検出温度に基づいて第二位置に対応する補助空調部による空気の温度調整を行い、更に、主空調部が行っている空気の温度調整の調整能力を第一位置に対応する温度検出部による検出温度に基づいて補正する制御部と、を備える。【選択図】図１
2019168435.tif 000002
【特許請求の範囲】
【請求項１】
処理対象物を収容可能な処理室と、
空気の温度を調整し、当該温度調整された空気を前記処理室内に供給する主空調部と、
前記処理室内における複数の位置の各々に対して個別に設けられ、空気の温度を調整して、当該温度調整された空気を各位置に供給する補助空調部と、
前記複数の位置とは異なる位置で空気の温度を検出する室温検出部と、
前記複数の位置の各々に対して個別に設けられ、各位置で空気の温度又は処理対象物の温度を検出する温度検出部と、
前記室温検出部による検出温度に基づいて、前記主空調部による空気の温度調整を行いつつ、前記複数の位置のうち第一位置とは異なる第二位置に対応する前記温度検出部による検出温度に基づいて、前記第二位置に対応する前記補助空調部による空気の温度調整を行い、更に、前記主空調部が行っている空気の温度調整の調整能力を、前記第一位置に対応する前記温度検出部による検出温度に基づいて補正する制御部と、
を備える環境形成装置。
【請求項２】
処理対象物を収容可能な処理室と、
空気の温度を調整し、当該温度調整された空気を前記処理室内に供給する主空調部と、
前記処理室内における複数の位置の各々に対して個別に設けられ、空気の温度を調整して、当該温度調整された空気を各位置に供給する補助空調部と、
前記複数の位置とは異なる位置で空気の温度を検出する室温検出部と、
前記複数の位置の各々に対して個別に設けられ、各位置で空気の温度又は処理対象物の温度を検出する温度検出部と、
前記複数の位置のうち第一位置とは異なる第二位置に対応する前記温度検出部による検出温度に基づいて、前記第二位置に対応する前記補助空調部による空気の温度調整を行う制御部と、
一次調節器と二次調節器とを有するカスケード調節器と、
を備え、
前記一次調節器は、
前記第一位置に対応する前記温度検出部による検出温度が一次側の測定値として入力される第一測定値入力部と、前記処理室内に供給する空気の設定温度が一次側の設定値として入力される第一設定値入力部と、を備え、前記一次側の測定値と前記一次側の設定値との差分に応じて、前記設定温度を補正し、当該補正後の設定温度を前記一次調節器の出力値として出力し、
前記二次調節器は、
前記室温検出部による検出温度が二次側の測定値として入力される第二測定値入力部と、前記一次調節器の出力値、が二次側の設定値として入力される第二設定値入力部と、を備え、前記二次側の測定値が前記二次側の設定値と同じになるように、前記主空調部によって空気の温度調整を行わせる
環境形成装置。
【請求項３】
前記第一位置は、複数の前記温度検出部の中で一番高い温度を検出した前記温度検出部に対応する位置であり、
前記制御部は、前記第二位置に対応する前記温度検出部による検出温度が、前記第一位置に対応する前記温度検出部による検出温度と同じになるように、前記第二位置に対応する前記補助空調部によって空気の温度調整を行わせる
請求項１又は２に記載の環境形成装置。
【請求項４】
前記補助空調部は、空気を直接的に加熱するヒーターを備える
請求項３に記載の環境形成装置。
【請求項５】
処理対象物を収容可能な処理室と、
空気の温度を調整し、当該温度調整された空気を前記処理室内に供給する主空調部と、
前記処理室内における複数の位置の各々に対して個別に設けられ、空気の温度を調整して、当該温度調整された空気を各位置に供給する補助空調部と、
前記複数の位置の各々に対して個別に設けられ、各位置で空気の温度又は処理対象物の温度を検出する温度検出部と、
前記複数の位置のうち第一位置に対応する前記温度検出部による検出温度に基づいて、前記主空調部による空気の温度調整を行いつつ、前記複数の位置のうち前記第一位置とは異なる第二位置に対応する前記温度検出部による検出温度に基づいて、前記第二位置に対応する前記補助空調部による空気の温度調整を行う制御部と、
を備える環境形成装置。
【発明の詳細な説明】
【技術分野】
【０００１】
本発明は、処理対象物を収容可能な処理室を備えた環境形成装置に関する。
【背景技術】
【０００２】
従来から、空調機によって温度調整した空気を、処理対象物が収容された処理室内に供給することにより、処理対象物全てを同一温度の空気に晒す処理を行う環境形成装置が知られている。このような環境形成装置として、特許文献１に記載のように、空調機によって温度調整した空気を、試料が収容された試験室内に供給することにより、試料全てを同一温度の空気に晒す試験を行う環境試験装置が知られている。
【先行技術文献】
【非特許文献】
【０００３】
【特許文献１】特開２０１０−１０７２１８号公報
【発明の概要】
【発明が解決しようとする課題】
【０００４】
環境形成装置では、処理室内における処理対象物の配置位置によって空気の温度がばらつかないように工夫はされているが、実際には、処理室内における空気の温度を均一にすることが困難な場合がある。このため、処理室内に配置された処理対象物の全てを同一温度の空気に晒すことが困難な場合がある。
【０００５】
そこで、例えば、処理室に収容可能な複数の処理対象物の各々に対して、各処理対象物に供給する空気の温度を調整可能な補助空調機を個別に設け、各処理対象物に供給する空気の温度を同一温度に個別に調整することが考えられる。しかし、この場合、処理室内に空気を供給する空調機と処理室に配置された処理対象物の数と同数の補助空調機とを並行して動作させることとなり、処理を長時間行う際に多大な使用エネルギーが必要になるという問題が生じる。
【０００６】
本発明は、上記事情に鑑みてなされた発明であり、省エネルギー化を図りつつ、処理室内に収容された処理対象物を所望の温度の空気に晒すことができる環境形成装置を提供することにある。
【課題を解決するための手段】
【０００７】
本発明による環境形成装置は、処理対象物を収容可能な処理室と、空気の温度を調整し、当該温度調整された空気を前記処理室内に供給する主空調部と、前記処理室内における複数の位置の各々に対して個別に設けられ、空気の温度を調整して、当該温度調整された空気を各位置に供給する補助空調部と、前記複数の位置とは異なる位置で空気の温度を検出する室温検出部と、前記複数の位置の各々に対して個別に設けられ、各位置で空気の温度又は処理対象物の温度を検出する温度検出部と、前記室温検出部による検出温度に基づいて、前記主空調部による空気の温度調整を行いつつ、前記複数の位置のうち第一位置とは異なる第二位置に対応する前記温度検出部による検出温度に基づいて、前記第二位置に対応する前記補助空調部による空気の温度調整を行い、更に、前記主空調部が行っている空気の温度調整の調整能力を、前記第一位置に対応する前記温度検出部による検出温度に基づいて補正する制御部と、を備える。
【０００８】
本構成では、室温検出部による検出温度に基づいて主空調部による空気の温度調整が行われる。このため、室温検出部とは異なる位置の空気の温度や当該位置の近傍にある処理対象物の温度は、所望の温度に調整されない虞がある。
【０００９】
しかし、本構成では、更に、主空調部が行っている空気の温度調整の調整能力が、第一位置に対応する温度検出部による検出温度に基づいて補正される。このため、処理室内に供給される空気の温度を、第一位置の空気の温度又は第一位置の近傍にある処理対象物の温度に基づく温度に補正することができる。これにより、処理室内に供給される空気の温度を、第一位置の空気の温度又は第一位置の近傍にある処理対象物の温度に基づく温度に調整することができる。
【００１０】
一方、第一位置とは異なる第二位置に個別に供給される空気の温度は、第二位置に対応する補助空調部によって、第二位置に対応する温度検出部による検出温度に基づいて温度調整される。このため、第一位置に対応する補助空調部を動作させずに、第二位置に個別に供給される空気の温度を、第二位置の空気の温度又は第二位置の近傍にある処理対象物の温度に基づく温度に調整することができる。
【００１１】
したがって、本構成によれば、主空調部と全ての補助空調部を動作させる場合よりも省エネルギー化を図ることができる。また、処理室内における複数の位置に、各位置の空気の温度又は各位置の近傍にある処理対象物の温度に基づく温度に調整された空気を供給することができる。これにより、処理室内における複数の位置で処理対象物を其々所望の温度の空気に晒すことができる。
【００１２】
例えば、第二位置の空気の温度又は第二位置の近傍にある処理対象物の温度が、第一位置の空気の温度又は第一位置の近傍にある処理対象物の温度と同じになるように、第二位置に対応する補助空調部によって空気の温度調整を行わせれば、複数の位置で処理対象物を同一温度の空気に晒すことができる。
【００１３】
また、本発明による他の環境形成装置は、処理対象物を収容可能な処理室と、空気の温度を調整し、当該温度調整された空気を前記処理室内に供給する主空調部と、前記処理室内における複数の位置の各々に対して個別に設けられ、空気の温度を調整して、当該温度調整された空気を各位置に供給する補助空調部と、前記複数の位置とは異なる位置で空気の温度を検出する室温検出部と、前記複数の位置の各々に対して個別に設けられ、各位置で空気の温度又は処理対象物の温度を検出する温度検出部と、前記複数の位置のうち第一位置とは異なる第二位置に対応する前記温度検出部による検出温度に基づいて、前記第二位置に対応する前記補助空調部による空気の温度調整を行う制御部と、一次調節器と二次調節器とを有するカスケード調節器と、を備え、前記一次調節器は、前記第一位置に対応する前記温度検出部による検出温度が一次側の測定値として入力される第一測定値入力部と、前記処理室内に供給する空気の設定温度が一次側の設定値として入力される第一設定値入力部と、を備え、前記一次側の測定値と前記一次側の設定値との差分に応じて、前記設定温度を補正し、当該補正後の設定温度を前記一次調節器の出力値として出力し、前記二次調節器は、前記室温検出部による検出温度が二次側の測定値として入力される第二測定値入力部と、前記一次調節器の出力値、が二次側の設定値として入力される第二設定値入力部と、を備え、前記二次側の測定値が前記二次側の設定値と同じになるように、前記主空調部によって空気の温度調整を行わせる。
【００１４】
本構成によれば、第一位置の空気の温度又は第一位置の近傍にある処理対象物の温度が設定温度と一致している場合、一次調節器は、第一位置の空気の温度又は第一位置の近傍にある処理対象物の温度と設定温度との差分がないので、設定温度を補正せず、設定温度を一次調節器の出力値として出力する。この場合、二次調節器は、室温検出部による検出温度が一次調節器の出力値である設定温度と同じになるように、主空調部によって空気の温度調整を行わせる。これにより、室温検出部による検出温度が設定温度と同じになるように、処理室内に供給する空気の温度を調整することができる。
【００１５】
一方、第一位置の空気の温度又は第一位置の近傍にある処理対象物の温度が設定温度と異なる場合、一次調節器は、第一位置の空気の温度又は第一位置の近傍にある処理対象物の温度と設定温度との差分に応じて設定温度を補正し、当該補正後の設定温度を出力する。この場合、二次調節器は、室温検出部による検出温度が当該補正後の設定温度と同じになるように、主空調部によって空気の温度調整を行わせる。
【００１６】
これにより、第一位置の空気の温度又は第一位置の近傍にある処理対象物の温度が設定温度と異なる場合、一次調節器では、第一位置の空気の温度又は第一位置の近傍にある処理対象物の温度と設定温度との差分に応じて室温検出部の配置位置における空気の温度を補正する代わりに、設定温度を前記差分に応じて補正することができる。これに合わせて、二次調節器では、室温検出部の配置位置における前記補正後の空気の温度が設定温度と同じになるように主空調部によって空気の温度調整を行わせる代わりに、室温検出部の配置位置における空気の温度が一次調節器による補正後の設定温度と同じになるように主空調部によって空気の温度調整を行わせることができる。
【００１７】
したがって、本構成によれば、第一位置の空気の温度又は第一位置の近傍にある処理対象物の温度が設定温度と同じになるように空気の温度を調整することができる。
【００１８】
また、第一位置とは異なる第二位置に個別に供給される空気の温度は、第二位置に対応する補助空調部によって、第二位置に対応する温度検出部による検出温度に基づいて温度調整される。このため、第一位置に対応する補助空調部を動作させずに、第二位置に個別に供給される空気の温度を、第二位置の空気の温度又は第二位置の近傍にある処理対象物の温度に基づく温度に調整することができる。
【００１９】
したがって、本構成によれば、主空調部と全ての補助空調部を動作させる場合よりも省エネルギー化を図ることができる。また、処理室内における複数の位置に、各位置の空気の温度又は近傍にある処理対象物の温度に基づく温度に調整された空気を供給することができる。これにより、処理室内における複数の位置で処理対象物を其々所望の温度の空気に晒すことができる。
【００２０】
例えば、第二位置の空気の温度又は第二位置の近傍にある処理対象物の温度が、第一位置の空気の温度又は第一位置の近傍にある処理対象物の温度と同じになるように、第二位置に対応する補助空調部によって空気の温度調整を行わせれば、複数の位置で処理対象物を同一温度の空気に晒すことができる。
【００２１】
また、前記第一位置は、複数の前記温度検出部の中で一番高い温度を検出した前記温度検出部に対応する位置であり、前記制御部は、前記第二位置に対応する前記温度検出部による検出温度が、前記第一位置に対応する前記温度検出部による検出温度と同じになるように、前記第二位置に対応する前記補助空調部によって空気の温度調整を行わせるようにしてもよい。
【００２２】
本構成では、第一位置の空気の温度又は第一位置の近傍にある処理対象物の温度が、第二位置の空気の温度又は第二位置の近傍にある処理対象物の温度よりも高い。また、第二位置の空気の温度又は第二位置の近傍にある処理対象物の温度が、第一位置の空気の温度又は第一位置の近傍にある処理対象物の温度と同じになるように、第二位置に対応する補助空調部によって空気の温度調整が行われる。
【００２３】
このため、第二位置に対応する補助空調部によって、第二位置に個別に供給される空気の温度を低くする調整を行わせることなく、第二位置に個別に供給される空気の温度を高くする調整だけ行わせることができる。したがって、空気の温度を低くする調整が可能な冷却器を備えることなく、少なくとも空気の温度を高くする調整が可能な加熱器を備えるようにして、第二位置に対応する補助空調部を簡素に構成することができる。
【００２４】
また、前記補助空調部は、空気を直接的に加熱するヒーターを備えるようにしてもよい。
【００２５】
本構成によれば、第二位置に対応するヒーターによって空気が直接的に加熱されるので、第二位置に個別に供給する空気の温度を迅速に上昇させることができる。
【００２６】
また、本発明による他の環境形成装置は、処理対象物を収容可能な処理室と、空気の温度を調整し、当該温度調整された空気を前記処理室内に供給する主空調部と、前記処理室内における複数の位置の各々に対して個別に設けられ、空気の温度を調整して、当該温度調整された空気を各位置に供給する補助空調部と、前記複数の位置の各々に対して個別に設けられ、各位置で空気の温度又は処理対象物の温度を検出する温度検出部と、前記複数の位置のうち第一位置に対応する前記温度検出部による検出温度に基づいて、前記主空調部による空気の温度調整を行いつつ、前記複数の位置のうち前記第一位置とは異なる第二位置に対応する前記温度検出部による検出温度に基づいて、前記第二位置に対応する前記補助空調部による空気の温度調整を行う制御部と、を備える。
【００２７】
本構成では、第一位置に対応する温度検出部による検出温度に基づいて主空調部による空気の温度調整を行うので、処理室内に供給される空気の温度を、第一位置の空気の温度又は第一位置の近傍にある処理対象物の温度に基づく温度に調整することができる。
【００２８】
一方、第一位置とは異なる第二位置に個別に供給される空気の温度は、第二位置に対応する補助空調部によって、第二位置に対応する温度検出部による検出温度に基づいて温度調整される。このため、第一位置に対応する補助空調部を動作させずに、第二位置に個別に供給される空気の温度を、第二位置の空気の温度又は第二位置の近傍にある処理対象物の温度に基づく温度に調整することができる。
【００２９】
したがって、本構成によれば、主空調部と全ての補助空調部を動作させる場合よりも省エネルギー化を図ることができる。また、処理室内における複数の位置に、各位置の空気の温度又は各位置の近傍にある処理対象物の温度に基づく温度に調整された空気を供給することができる。これにより、処理室内における複数の位置で処理対象物を其々所望の温度の空気に晒すことができる。
【００３０】
例えば、第二位置の空気の温度又は第二位置の近傍にある処理対象物の温度が、第一位置の空気の温度又は第一位置の近傍にある処理対象物の温度と同じになるように、第二位置に対応する補助空調部によって空気の温度調整を行わせれば、複数の位置で処理対象物を同一温度の空気に晒すことができる。
【発明の効果】
【００３１】
本発明によれば、省エネルギー化を図りつつ、処理室内に収容された処理対象物を所望の温度の空気に晒すことができる環境形成装置を提供することができる。
【図面の簡単な説明】
【００３２】
【図１】環境試験装置の概略構成の一例を示すブロック図である。
【図２】二個の試料の配置位置の温度調整の一例を示す図である。
【図３】環境試験装置の動作の一例を示すフローチャートである。
【図４】主空調部の制御フローの一例を示すフローチャートである。
【図５】環境試験装置の概略構成の他の一例を示すブロック図である。
【図６】環境試験装置の概略構成の他の一例を示すブロック図である。
【図７】三個の試料の配置位置の温度調整の一例を示す図である。
【発明を実施するための形態】
【００３３】
（全体構成）
以下、本発明に係る環境形成装置の一実施形態について説明する。本実施形態では、本発明に係る環境形成装置の一例として環境試験装置について説明する。図１は、環境試験装置１の概略構成の一例を示すブロック図である。図１に示すように、環境試験装置１は、二個の試料（処理対象物）ＳＰａ、ＳＰｂを収容可能な試験室（処理室）９、試験室９内に供給される空気の温度調整を行うための空調室８、操作部５０及び制御部１０を備えている。
【００３４】
試験室９と空調室８との間の仕切壁８９には、吹出口８３と吸込口８４とが設けられている。空調室８の上壁８８には、二個の吹出口９１ａ、９１ｂが設けられている。試験室９には、試料を載置するための載置台（不図示）が互いに異なる所定の二箇所に配置されている。試験室９の一側壁における試料ＳＰａの載置台の近傍には、吹出口９５ａが設けられている。試験室９の一側壁における試料ＳＰｂの載置台の近傍には、吹出口９５ｂが設けられている。吹出口９１ａと吹出口９５ａとの間には、給気ダクト９４ａが配管されている。吹出口９１ｂと吹出口９５ｂとの間には、給気ダクト９４ｂが配管されている。
【００３５】
空調室８には、空調機８１と送風機８２とが設けられている。空調機８１は、空調室８内の空気を加熱又は冷却することにより、空調室８内の空気の温度を調整する。空調機８１による空気の加熱能力及び冷却能力は、制御部１０によって調整される。これにより、空調機８１による空気の温度の調整能力が調整される。
【００３６】
送風機８２は、空調室８と試験室９との間での空気の循環を起こさせるように配置されている。例えば、送風機８２は、空調室８内の上壁８８の近傍に配置されている。送風機８２は、所定の風速の風を生成する。送風機８２が生成した風により、空調機８１によって温度調整された空気は、吹出口８３から試験室９内へ吹き出される。これにより、試験室９内に当該温度調整された空気が供給される。つまり、空調機８１と送風機８２とによって、本発明に係る主空調部の一例が構成されている。以降、吹出口８３から試験室９内に供給される空気の温度調整に関わる空調機８１及び送風機８２を総称する場合、主空調部８０と称する。
【００３７】
上記のように、空調室８から試験室９内に空気を吹き出すことによって、試験室９内の空気は、吸込口８４から空調室８内に吸い込まれる。このように、空調室８と試験室９との間での空気の循環を繰り返すことで、試験室９内の空気の温度が調整される。
【００３８】
送風機８２が生成した風により、空調機８１によって温度調整された空気は、吹出口９１ａから給気ダクト９４ａ内へも吹き出されるとともに、吹出口９１ｂから給気ダクト９４ｂ内へも吹き出される。
【００３９】
給気ダクト９４ａには、ヒーター９３ａ及び送風機９２ａが設けられている。ヒーター９３ａは、給気ダクト９４ａ内の空気を直接的に加熱する。ヒーター９３ａによる空気の加熱能力は、制御部１０によって調整される。送風機９２ａは、ユーザが後述の操作部５０を用いて入力した風速の風を生成する。尚、送風機９２ａが生成する風の風速は、予め定められていてもよい。給気ダクト９４ａ内に吹き出された空調室８内の空気は、送風機９２ａが生成した風により、ヒーター９３ａまで導かれ、ヒーター９３ａによって温度調整された後、吹出口９５ａから試験室９内へ吹き出される。これにより、ヒーター９３ａによって温度調整された空気が、吹出口９５ａの近傍に配置された試料ＳＰａに個別に供給される。つまり、ヒーター９３ａ及び送風機９２ａによって、本発明に係る試料ＳＰａの配置位置に対して個別に設けられた補助空調部の一例が構成されている。以降、試料ＳＰａの配置位置に個別に供給される空気の温度調整に関わるヒーター９３ａ及び送風機９２ａを総称する場合、補助空調部９０ａと称する。
【００４０】
給気ダクト９４ｂには、給気ダクト９４ａと同様、ヒーター９３ｂ及び送風機９２ｂが設けられている。ヒーター９３ｂ及び送風機９２ｂは、ヒーター９３ａ及び送風機９２ａと同様の構成であるので詳細な説明を省略する。給気ダクト９４ｂ内に吹き出された空調室８内の空気は、送風機９２ｂが生成した風により、ヒーター９３ｂまで導かれ、ヒーター９３ｂによって温度調整された後、吹出口９５ｂから試験室９内へ吹き出される。これにより、ヒーター９３ｂによって温度調整された空気が、吹出口９５ｂの近傍に配置された試料ＳＰｂに個別に供給される。つまり、ヒーター９３ｂ及び送風機９２ｂによって、本発明に係る試料ＳＰｂの配置位置に対して個別に設けられた補助空調部の一例が構成されている。以降、試料ＳＰｂの配置位置に個別に供給される空気の温度調整に関わるヒーター９３ｂ及び送風機９２ｂを総称する場合、補助空調部９０ｂと称する。
【００４１】
以降、各構成要素の参照符号中のａ、ｂは添字を示し、各構成要素を総称する場合には、添字を削除した参照符号を用いるものとする。例えば、試料ＳＰａ、ＳＰｂを総称する場合、試料ＳＰと称し、補助空調部９０ａ、９０ｂを総称する場合、補助空調部９０と称する。
【００４２】
試験室９には、更に、室温センサＴＲ（室温検出部）が設けられている。室温センサＴＲは、例えば温度センサによって構成され、二個の試料ＳＰａ、ＳＰｂの配置位置とは異なる位置で空気の温度を検出する。室温センサＴＲは、例えば、試験室９内における吹出口８３の近傍に設けられ、吹出口８３の近傍の空気の温度を検出する。以降、室温センサＴＲが検出した空気の温度を、室温センサＴＲによる検出温度ＰＶＴと称する。
【００４３】
試験室９には、更に、二個の試料ＳＰａ、ＳＰｂの配置位置の其々に対して、各配置位置で空気の温度又は各配置位置の近傍にある試料ＳＰの温度を検出する二個の温度検出部Ｔａ、Ｔｂが個別に設けられている。温度検出部Ｔａは、試料ＳＰａの載置台の近傍に設けられている。温度検出部Ｔａは、例えば温度センサによって構成され、試料ＳＰａの載置台の近傍の位置で空気の温度を検出する。これと同様に、温度検出部Ｔｂは、試料ＳＰｂの載置台の近傍に設けられている。温度検出部Ｔｂは、例えば温度センサによって構成され、試料ＳＰｂの載置台の近傍の位置で空気の温度を検出する。
【００４４】
尚、温度検出部Ｔは、例えば、各試料ＳＰの表面に貼り付け可能な熱電対や、各試料ＳＰに非接触の状態で各試料ＳＰの表面温度を検出可能な赤外線センサ等によって構成してもよい。これにより、温度検出部Ｔが、各試料ＳＰの温度として、各試料ＳＰの表面温度を検出するようにしてもよい。又は、温度検出部Ｔは、各試料ＳＰに刺し込み可能な内部温度検出センサによって構成してもよい。これにより、温度検出部Ｔが、各試料ＳＰの温度として各試料ＳＰの内部の温度を検出するようにしてもよい。以降、温度検出部Ｔが検出した空気の温度又は試料ＳＰの温度を、温度検出部Ｔによる検出温度ＰＶと称する。
【００４５】
尚、送風機８２、９２ａ、９２ｂ、吹出口８３、９１ａ、９１ｂ、９５ａ、９５ｂ、吸込口８４、室温センサＴＲ及び温度検出部Ｔａ、Ｔｂの配置位置は、図１に示す配置位置に限定されない。
【００４６】
操作部５０は、環境試験装置１に対する各種指示や情報の入力を受け付ける。操作部５０は、不図示の表示装置及びタッチパネル装置を備えている。
【００４７】
表示装置は、例えば液晶ディスプレイ等によって構成され、制御部１０による制御の下、環境試験装置１の操作画面やメッセージ等の各種情報を表示する。操作画面には、試験条件の入力操作を行わせるための操作画面等が含まれる。尚、試験条件には、試験室９内に供給する空気の温度の目標値（以降、設定温度ＳＶＴ）、送風機９２ａ、９２ｂに生成させる風の風速、及び試験の実行時間等が含まれる。
【００４８】
タッチパネル装置は、表示装置が有する情報の表示面上に設けられ、表示装置に表示された操作画面内のソフトキーが操作されると、当該ソフトキー及び操作に対応付けられた指示の入力を受け付ける。尚、操作部５０は、タッチパネル装置に限らず、情報を入力するためのキーボードやスイッチ類等を備えた構成であってもよい。
【００４９】
制御部１０には、操作部５０によって入力された情報、室温センサＴＲによる検出温度ＰＶＴ及び温度検出部Ｔによる検出温度ＰＶが入力される。制御部１０は、空調機８１等、環境試験装置１が備える各部を制御する。具体的には、制御部１０は、ＣＰＵ、ＲＡＭ及びＲＯＭ等を備えたＰＬＣ（プログラマブルロジックコントローラ）によって構成されている。制御部１０は、ＲＡＭに記憶されているシーケンスプログラム及びＲＯＭに記憶されているシステムプログラム（ファームウェア）をＣＰＵが実行することによって、空調機８１等を制御する。
【００５０】
具体的には、制御部１０の機能としては、試験実行部１５、補正部１１、主調整部１２、二個の補助調整部１４ａ、１４ｂ及び特定部１３が含まれる。
【００５１】
試験実行部１５は、操作部５０によって入力された情報及び指示を受け付け、当該受け付けた情報及び指示に従って試験を実行する。補正部１１は、特定部１３から入力された後述の基準温度ＰＶ１に基づいて、主空調部８０が行っている空気の温度調整の調整能力を補正する。主調整部１２は、室温センサＴＲによる検出温度ＰＶＴに基づいて、主空調部８０の制御を行う。
【００５２】
補助調整部１４ａは、温度検出部Ｔａによる検出温度ＰＶａに基づいて、補助空調部９０ａの制御を行う。補助調整部１４ｂは、温度検出部Ｔｂによる検出温度ＰＶｂに基づいて、補助空調部９０ｂの制御を行う。
【００５３】
特定部１３は、二個の試料ＳＰａ、ＳＰｂの配置位置のうち、空気の温度が高い方又は温度が高い方の試料ＳＰの配置位置を第一位置として特定する。そして、特定部１３は、当該特定した第一位置とは異なる第二位置に対応する補助調整部１４に、第二位置に対応する補助空調部９０の制御を行わせる。ここで、第二位置に対応する補助空調部９０とは、第二位置に供給される空気の温度調整を行う補助空調部９０を示す。
【００５４】
（各試料ＳＰの温度調整の概要）
次に、本実施形態の環境試験装置１における各試料ＳＰの温度調整の概要について説明する。図２は、二個の試料ＳＰの配置位置の温度調整の一例を示す図である。具体的には、本実施形態の環境試験装置１では、室温センサＴＲによる検出温度ＰＶＴが設定温度ＳＶＴとなるように、主空調部８０によって空気の温度調整が行われる。
【００５５】
このとき、例えば、図２（Ａ）に示すように、特定部１３によって特定された第一位置に対応する温度検出部Ｔが検出した基準温度ＰＶ１及び第一位置とは異なる第二位置に対応する温度検出部Ｔが検出した温度ＰＶ２が、何れも設定温度ＳＶＴより低くなっているとする。または、図２（Ｂ）に示すように、基準温度ＰＶ１が設定温度ＳＶＴよりも高く、温度ＰＶ２が設定温度ＳＶＴよりも低くなっているとする。または、図２（Ｃ）に示すように、基準温度ＰＶ１及び温度ＰＶ２が、何れも設定温度ＳＶＴより高くなっているとする。
【００５６】
これらの場合において、本実施形態の環境試験装置１では、図２（Ａ）〜（Ｃ）の実線矢印で示すように、基準温度ＰＶ１が設定温度ＳＶＴとなるように、主空調部８０によって行われている空気の温度調整の調整能力が補正される。更に、図２（Ａ）〜（Ｃ）の破線矢印で示すように、温度ＰＶ２が、基準温度ＰＶ１と同じになるように、第二位置に対応する補助空調部９０によって空気の温度調整が行われる。
【００５７】
（環境試験装置１の動作）
以下、環境試験装置１の動作について図３を参照して具体的に説明する。当該説明の中で、試験実行部１５、補正部１１、主調整部１２、二個の補助調整部１４ａ、１４ｂ及び特定部１３の詳細についても説明する。図３は、環境試験装置１の動作の一例を示すフローチャートである。
【００５８】
ユーザが二個の試料ＳＰａ、ＳＰｂを試験室９内の所定位置に配置された載置台に載置した後、操作部５０を用いて試験条件及び試験の開始指示を入力したとする。この場合、図３に示すように、試験実行部１５は、当該入力された試験条件及び試験の開始指示を受け付け、当該受け付けた試験条件の設定後、試験を開始する（ステップＳ１１）。具体的には、ステップＳ１１において、試験実行部１５は、受け付けた試験条件をＲＡＭに記憶することによって試験条件を設定する。その後、試験実行部１５は、試験を開始する。
【００５９】
試験実行部１５は、試験を開始すると、主調整部１２に主空調部８０の制御を行わせる（ステップＳ１２）。これにより、主空調部８０による空調室８内の空気の温度調整が行われ、当該温度調整された空気が吹出口８３から試験室９内に供給される。当該温度調整された空気は、給気ダクト９４を通じて各試料ＳＰの配置位置にも個別に供給される。このステップＳ１２における主空調部８０による空気の温度調整は、第一位置に対応する温度検出部Ｔが検出した基準温度ＰＶ１に基づいても行われるが、その詳細については後述する。
【００６０】
主空調部８０の制御が開始されると、特定部１３は、作動対象の補助空調部９０を特定する（ステップＳ１３）。
【００６１】
具体的には、ステップＳ１３において、特定部１３は、先ず、二個の温度検出部Ｔａ、Ｔｂの中で一番高い温度を検出した温度検出部Ｔに対応する試料ＳＰの配置位置を第一位置として特定する。このとき、図１に示すように、特定部１３は、第一位置に対応する温度検出部Ｔによる検出温度ＰＶを基準温度ＰＶ１として、補正部１１へ出力する。基準温度ＰＶ１は、補正部１１が主空調部８０による温度調整の調整能力を補正する際に用いられる。そして、特定部１３は、二個の試料ＳＰａ、ＳＰｂの配置位置のうち、第一位置とは異なる試料ＳＰの配置位置を第二位置として特定し、当該特定した第二位置に供給される空気の温度調整を行う補助空調部９０を、作業対象の補助空調部９０として特定する。
【００６２】
例えば、ステップＳ１３において、温度検出部Ｔａによる検出温度ＰＶａが温度検出部Ｔｂによる検出温度ＰＶｂよりも高かった場合（ＰＶａ＞ＰＶｂ）、特定部１３は、試料ＳＰａの配置位置を第一位置として特定し、試料ＳＰａの配置位置に対応する温度検出部Ｔａによる検出温度ＰＶａを基準温度ＰＶ１として補正部１１に出力する。そして、特定部１３は、試料ＳＰｂの配置位置を第二位置として特定し、試料ＳＰｂの配置位置に対応する補助空調部９０ｂを、作動対象の補助空調部９０として特定する。
【００６３】
次に、特定部１３は、ステップＳ１３で特定した作動対象の補助空調部９０に行わせる空気の温度調整の調整能力を示すパラメータの設定を行う（ステップＳ１４）。本実施形態では、前記調整能力を示すパラメータは、作動対象の補助空調部９０（例えば９０ｂ）によって第二位置に個別に供給される空気の温度の目標値を示す個別設定温度ＳＶ（例えばＳＶｂ）であるものとする。
【００６４】
具体的には、ステップＳ１４において、特定部１３は、個別設定温度ＳＶ（例えばＳＶｂ）として、ステップＳ１３で補正部１１に出力した基準温度ＰＶ１（例えばＰＶａ）を、作動対象の補助空調部９０（例えば９０ｂ）に対応する補助調整部１４（例えば１４ｂ）に出力する。これにより、特定部１３は、当該補助調整部１４（例えば１４ｂ）に個別設定温度ＳＶ（例えばＳＶｂ）を設定する。
【００６５】
前記調整能力を示すパラメータが設定されると、ステップＳ１３で特定された作動対象の補助空調部９０に対応する補助調整部１４は、当該作動対象の補助空調部９０の制御を行う（ステップＳ１５）。
【００６６】
具体的には、ステップＳ１５において、作動対象の補助空調部９０（例えば９０ｂ）に対応する補助調整部１４（例えば１４ｂ）は、所謂ＰＩＤ制御を行うことによって、第二位置に対応する温度検出部Ｔ（例えばＴｂ）による検出温度ＰＶ（例えばＰＶｂ）が、ステップＳ１４で設定された個別設定温度ＳＶ（例えばＳＶｂ）（＝基準温度ＰＶ１（例えばＰＶａ））と同じになるように、作動対象の補助空調部９０（例えば９０ｂ）に含まれるヒーター９３（例えば９３ｂ）の加熱能力を調整する。
【００６７】
また、作動対象の補助空調部９０（例えば９０ｂ）に対応する補助調整部１４（例えば１４ｂ）は、ＲＡＭに記憶されている試験条件に含まれている、作動対象の補助空調部９０（例えば９０ｂ）の送風機９２（例えば９２ｂ）に生成させる風の風速を参照する。そして、当該補助調整部１４（例えば１４ｂ）は、ヒーター９３（例えば９３ｂ）の加熱能力の調整中、当該参照した風速の風を当該送風機９２（例えば９２ｂ）に生成させる。
【００６８】
補助空調部９０の制御が開始されると、試験実行部１５は、実行中の試験を終了するか否かを判定する（ステップＳ１６）。具体的には、ステップＳ１６において、試験実行部１５は、ステップＳ１２で補正部１１及び主調整部１２に主空調部８０の制御を開始させた時点から、ステップＳ１１で設定した試験条件に含まれる試験の実行時間が経過している場合は、試験を終了すると判定する。その他の場合は、試験を終了しないと判定する。
【００６９】
試験実行部１５は、ステップＳ１６で試験を終了すると判定した場合（ステップＳ１６でＹＥＳ）、主調整部１２に主空調部８０の制御を終了させる。また、試験実行部１５は、作動中の補助空調部９０の制御を終了させる指示を特定部１３に出力する。特定部１３は、当該指示を受け付け、作動中の補助空調部９０に対応する補助調整部１４に、当該補助空調部９０の制御を終了させる（ステップＳ１８）。これにより、試験実行部１５は、試験を終了する。
【００７０】
一方、試験実行部１５は、ステップＳ１６で試験を終了しないと判定した場合（ステップＳ１６でＮＯ）、ステップＳ１５で補助空調部９０の制御が開始された時点から、所定時間が経過したか否かを判定する（ステップＳ１７）。
【００７１】
試験実行部１５は、ステップＳ１５で補助空調部９０の制御が開始された時点から所定時間が経過していないと判定した場合（ステップＳ１７でＮＯ）、ステップＳ１６以降の処理を繰り返す。これにより、試験が終了するまでの間、ステップＳ１５で開始された補助空調部９０による空気の温度調整が前記所定時間継続される。
【００７２】
一方、試験実行部１５は、ステップＳ１５で補助空調部９０の制御が開始された時点から、所定時間が経過したと判定した場合（ステップＳ１７でＹＥＳ）、ステップＳ１３以降の処理を行わせる。これにより、作動対象の補助空調部９０が特定し直され、当該特定された補助空調部９０の制御が行われる。
【００７３】
（主空調部８０の制御の詳細）
次に、ステップＳ１２における主空調部８０の制御の詳細について説明する。図４は、主空調部８０の制御フローの一例を示すフローチャートである。
【００７４】
試験実行部１５によって試験が開始されると、図４に示すように、主空調部８０に行わせる空気の温度調整の調整能力を示すパラメータの設定が行われる（ステップＳ２１）。本実施形態では、前記調整能力を示すパラメータは、主空調部８０によって試験室９内に供給される空気の温度の目標値を示す設定温度ＳＶＴであるものとする。
【００７５】
具体的には、ステップＳ２１において、試験実行部１５は、ステップＳ１１でＲＡＭに記憶した試験条件に含まれている設定温度ＳＶＴを補正部１１に出力する。これにより、補正部１１に設定温度ＳＶＴが設定される。また、補正部１１は、試験実行部１５から入力された設定温度ＳＶＴを主調整部１２に出力する。これにより、主調整部１２に設定温度ＳＶＴが設定される。
【００７６】
前記調整能力を示すパラメータの設定が終了すると、主調整部１２は、主空調部８０の制御を開始する（ステップＳ２２）。
【００７７】
具体的には、ステップＳ２２において、主調整部１２は、所謂ＰＩＤ制御を行うことによって、室温センサＴＲによる検出温度ＰＶＴが、ステップＳ２１で設定された設定温度ＳＶＴと同じになるように空調機８１の加熱能力又は冷却能力を調整する。また、主調整部１２は、空調機８１の加熱能力又は冷却能力を調整中、所定の風速の風を送風機８２に生成させる。
【００７８】
主空調部８０の制御が開始されると、補正部１１は、ステップＳ１３において特定部１３から入力された基準温度ＰＶ１に基づいて、主空調部８０による空気の温度調整の調整能力を示すパラメータを補正する（ステップＳ２３）。
【００７９】
具体的には、ステップＳ２３において、補正部１１は、特定部１３から入力された基準温度ＰＶ１に基づいて、ステップＳ２１で設定された、主空調部８０に行わせる空気の温度調整の調整能力を示すパラメータである設定温度ＳＶＴを補正する。そして、補正部１１は、当該補正後の設定温度ＲＳＶＴを主調整部１２に出力する。
【００８０】
例えば、ステップＳ２３において、補正部１１は、設定された設定温度ＳＶＴから、特定部１３から入力された基準温度ＰＶ１を減算することで、当該設定温度ＳＶＴと当該基準温度ＰＶ１との差分を算出する。そして、補正部１１は、前記差分が正の値を示す場合、基準温度ＰＶ１が設定温度ＳＶＴと同じになるように、主空調部８０に含まれる空調機８１の加熱能力を向上させるため、前記差分の絶対値が大きい程、設定温度ＳＶＴをより高い温度に補正する。
【００８１】
一方、補正部１１は、前記差分が負の値を示す場合、基準温度ＰＶ１が設定温度ＳＶＴと同じになるように、主空調部８０に含まれる空調機８１の冷却能力を向上させるため、前記差分の絶対値が大きい程、設定温度ＳＶＴをより低い温度に補正する。
【００８２】
ステップＳ２３の後、主調整部１２は、室温センサＴＲによる検出温度ＰＶＴと補正部１１から入力された補正後の設定温度ＲＳＶＴとが同じになるように、主空調部８０が行っている空気の温度調整の調整能力を補正する（ステップＳ２４）。
【００８３】
具体的には、ステップＳ２４において、室温センサＴＲによる検出温度ＰＶＴが、ステップＳ２３で補正部１１から入力された補正後の設定温度ＲＳＶＴよりも低かったとする。この場合、主調整部１２は、所謂ＰＩＤ制御を行うことによって、室温センサＴＲによる検出温度ＰＶＴが、ステップＳ２３で補正部１１から入力された補正後の設定温度ＲＳＶＴと同じになるように、空調機８１の調整能力を調整する。
【００８４】
一方、室温センサＴＲによる検出温度ＰＶＴが、ステップＳ２３で補正部１１から入力された補正後の設定温度ＲＳＶＴよりも高かったとする。この場合、主調整部１２は、所謂ＰＩＤ制御を行うことによって、室温センサＴＲによる検出温度ＰＶＴが、ステップＳ２３で補正部１１から入力された補正後の設定温度ＲＳＶＴと同じになるように、空調機８１の調整能力を調整する。
【００８５】
ステップＳ２４の後は、ステップＳ２３以降の処理が繰り返される。
【００８６】
このように、本実施形態の構成では、室温センサＴＲによる検出温度ＰＶＴに基づいて主空調部８０による空気の温度調整が行われる。このため、室温センサＴＲとは異なる位置の空気の温度や当該位置の近傍にある試料（例えば試料ＳＰａ）の温度は、所望の温度に調整されない虞がある。
【００８７】
しかし、本実施形態の構成では、更に、主空調部８０が行っている空気の温度調整の調整能力が、第一位置に対応する温度検出部Ｔ（例えばＴａ）による検出温度ＰＶ（例えばＰＶａ）である基準温度ＰＶ１に基づいて補正される。このため、試験室９内に供給される空気の温度を、第一位置での空気の温度又は第一位置の近傍にある試料ＳＰの温度に基づく温度に補正することができる。これにより、試験室９内に供給される空気の温度を、第一位置での空気の温度又は第一位置の近傍にある試料ＳＰの温度に基づく温度に調整することができる。
【００８８】
一方、第一位置とは異なる第二位置に個別に供給される空気の温度は、第二位置に対応する補助空調部９０（例えば９０ｂ）によって、第二位置に対応する温度検出部Ｔ（例えばＴｂ）による検出温度ＰＶ（例えばＰＶｂ）に基づいて温度調整される。このため、第一位置に対応する補助空調部９０（例えば９０ａ）を動作させずに、第二位置に個別に供給される空気の温度を、第二位置での空気の温度又は第二位置の近傍にある試料ＳＰの温度に基づく温度に調整することができる。
【００８９】
したがって、本実施形態の構成によれば、主空調部８０と全ての補助空調部９０を動作させる場合よりも省エネルギー化を図ることができる。また、試験室９内における複数の位置に、各位置での空気の温度又は各位置の近傍にある試料ＳＰの温度に基づく温度に調整された空気を供給することができる。これにより、試験室９内における複数の位置で試料ＳＰを其々所望の温度の空気に晒すことができる。
【００９０】
本実施形態の構成では、第二位置の空気の温度又は第二位置の近傍にある試料ＳＰの温度が、第一位置での空気の温度又は第一位置の近傍にある試料ＳＰの温度である基準温度ＰＶ１と同じになるように、第二位置に対応する補助空調部９０によって空気の温度調整が行われる。このため、第一位置及び第二位置に配置された二個の試料ＳＰを同一温度の空気に晒すことができる。
【００９１】
尚、本実施形態の構成では、基準温度ＰＶ１が設定温度ＳＶＴとなるように、主空調部８０によって行われている空気の温度調整の調整能力が補正される。このため、基準温度ＰＶ１が設定温度ＳＶＴと同じになるように変化することに追従するようにして、第二位置での空気の温度又は第二位置の近傍にある試料ＳＰの温度ＰＶ２を、設定温度ＳＶＴと同じになるように変化させることができる。これにより、第一位置及び第二位置に配置された二個の試料ＳＰを共に設定温度ＳＶＴの空気に晒すことができる。
【００９２】
また、本実施形態の構成では、二個の試料ＳＰａ、ＳＰｂの配置位置に対応する二個の温度検出部Ｔａ、Ｔｂの中で、一番高い温度を検出した温度検出部Ｔに対応する配置位置が第一位置として特定される。つまり、第一位置の空気の温度又は第一位置の近傍にある試料ＳＰの温度が、第二位置の空気の温度又は第二位置の近傍にある試料ＳＰの温度よりも高い。また、第二位置に対応する温度検出部Ｔ（例えばＴｂ）による検出温度ＰＶ（例えばＰＶｂ）が、第一位置に対応する温度検出部Ｔ（例えばＴａ）による検出温度ＰＶ（例えばＰＶａ）と同じになるように、第二位置に対応する補助空調部９０（例えば９０ｂ）によって空気の温度調整が行われる。
【００９３】
このため、第二位置に対応する補助空調部９０によって、第二位置に個別に供給される空気の温度を低くする調整を行わせることなく、第二位置に個別に供給される空気の温度を高くする調整だけ行わせることができる。したがって、図１に示したように、空気の温度を低くする調整が可能な冷却器を備えることなく、少なくとも空気の温度を高くする調整が可能なヒーター９３を備えるようにして、第二位置に対応する補助空調部９０を簡素に構成することができる。
【００９４】
また、本実施形態の構成では、補助空調部９０は、空気を直接的に加熱するヒーター９３を備えて構成されている。このため、第二位置に対応するヒーター９３によって空気が直接的に加熱されるので、第二位置に個別に供給する空気の温度を迅速に上昇させることができる。
【００９５】
（変形実施形態）
尚、上記実施形態は、本発明に係る実施形態の例示に過ぎず、本発明を上記実施形態に限定する趣旨ではない。例えば、以下に示す変形実施形態であってもよい。
【００９６】
（１）図５に示すように、制御部１０が、一次調節器１６１と二次調節器１６２とを有するカスケード調節器１６を備えるように構成してもよい。
【００９７】
一次調節器１６１は、第一位置の空気の温度又は第一位置の近傍にある試料ＳＰの温度である基準温度ＰＶ１が一次側の測定値として入力される第一測定値入力部１６１１と、設定温度ＳＶＴが一次側の設定値として入力される第一設定値入力部１６１２と、を備える。そして、一次調節器１６１は、一次側の測定値である基準温度ＰＶ１と一次側の設定値である設定温度ＳＶＴとの差分に応じて、設定温度ＳＶＴを補正し、当該補正後の設定温度ＲＳＶＴを一次調節器１６１の出力値として出力する。つまり、一次調節器１６１は、特定部１３から入力された基準温度ＰＶ１に基づいて、主空調部８０が行っている空気の温度調整の調整能力を補正する上記の補正部１１（図１）と同様に機能する。
【００９８】
二次調節器１６２は、室温センサＴＲによる検出温度ＰＶＴが二次側の測定値として入力される第二測定値入力部１６２１と、一次調節器１６１の出力値である補正後の設定温度ＲＳＶＴが二次側の設定値として入力される第二設定値入力部１６２２と、を備える。そして、二次調節器１６２は、二次側の測定値である検出温度ＰＶＴが、二次側の設定値である補正後の設定温度ＲＳＶＴと同じになるように、主空調部８０によって空気の温度調整を行わせる。つまり、二次調節器１６２は、室温センサＴＲによる検出温度ＰＶＴに基づいて、主空調部８０の制御を行う上記の主調整部１２（図１）と同様に機能する。
【００９９】
本構成によれば、第一位置の空気の温度又は第一位置の近傍にある試料ＳＰの温度である基準温度ＰＶ１が設定温度ＳＶＴと一致している場合、一次調節器１６１は、第一位置の空気の温度又は第一位置の近傍にある試料ＳＰの温度と設定温度ＳＶＴとの差分がないので、設定温度ＳＶＴを補正せず、設定温度ＳＶＴを一次調節器１６１の出力値として出力する。この場合、二次調節器１６２は、室温センサＴＲによる検出温度ＰＶＴが一次調節器１６１の出力値である設定温度ＳＶＴと同じになるように、主空調部８０によって空気の温度調整を行わせる。これにより、室温センサＴＲによる検出温度ＰＶＴが設定温度ＳＶＴと同じになるように、試験室９内に供給する空気の温度を調整することができる。
【０１００】
一方、第一位置の空気の温度又は第一位置の近傍にある試料の温度である基準温度ＰＶ１が設定温度ＳＶＴと異なる場合、一次調節器１６１は、第一位置の空気の温度又は第一位置の近傍にある試料ＳＰの温度と設定温度ＳＶＴとの差分に応じて設定温度ＳＶＴを補正し、当該補正後の設定温度ＲＳＶＴを出力する。この場合、二次調節器１６２は、室温センサＴＲによる検出温度ＰＶＴが当該補正後の設定温度ＲＳＶＴと同じになるように、主空調部８０によって空気の温度調整を行わせる。
【０１０１】
これにより、第一位置の空気の温度又は第一位置の近傍にある試料ＳＰの温度が設定温度ＳＶＴと異なる場合、一次調節器１６１では、第一位置の空気の温度又は第一位置の近傍にある試料ＳＰの温度と設定温度ＳＶＴとの差分に応じて吹出口８３における空気の温度を補正する代わりに、設定温度ＳＶＴを前記差分に応じて補正することができる。これに合わせて、二次調節器１６２では、前記補正後の吹出口８３における空気の温度が設定温度ＳＶＴと同じになるように主空調部８０によって空気の温度調整を行わせる代わりに、吹出口８３における空気の温度が一次調節器１６１による補正後の設定温度ＲＳＶＴと同じになるように主空調部８０によって空気の温度調整を行わせることができる。
【０１０２】
したがって、本構成によれば、第一位置の空気の温度又は第一位置の近傍にある試料ＳＰの温度が設定温度ＳＶＴと同じになるように空気の温度を調整することができる。
【０１０３】
（２）図６に示すように、試験室９内に室温センサＴＲを備えないようにして、制御部１０が補正部１１として機能しないようにしてもよい。そして、特定部１３が、第一位置に対応する温度検出部Ｔによる検出温度ＰＶである基準温度ＰＶ１を主調整部１２に出力するようにしてもよい。そして、基準温度ＰＶ１が設定温度ＳＶＴと同じになるように主空調部８０が試験室９内に供給する空気の温度調整を行うよう、主調整部１２によって主空調部８０を制御させてもよい。
【０１０４】
本構成では、第一位置に対応する温度検出部Ｔによる検出温度ＰＶである基準温度ＰＶ１に基づいて、主空調部８０による空気の温度調整を行うので、試験室９内に供給される空気の温度を、第一位置の空気の温度又は第一位置の近傍にある試料ＳＰの温度に基づく温度に調整することができる。
【０１０５】
一方、第一位置とは異なる第二位置に個別に供給される空気の温度は、第二位置に対応する補助空調部９０によって、第二位置に対応する温度検出部Ｔによる検出温度ＰＶに基づいて温度調整される。このため、第一位置に対応する補助空調部９０を動作させずに、第二位置に個別に供給される空気の温度を、第二位置の空気の温度又は第二位置の近傍にある試料ＳＰの温度に基づく温度に調整することができる。
【０１０６】
したがって、本構成によれば、主空調部８０と全ての補助空調部９０を動作させる場合よりも省エネルギー化を図ることができる。また、試験室９内における複数の位置に、各位置での空気の温度又は各位置の近傍にある試料ＳＰの温度に基づく温度に調整された空気を供給することができる。これにより、試験室９内における複数の位置で試料ＳＰを其々所望の温度の空気に晒すことができる。
【０１０７】
本構成では、第二位置の空気の温度又は第二位置の近傍にある試料ＳＰの温度が、第一位置の空気の温度又は第一位置の近傍にある試料ＳＰの温度である基準温度ＰＶ１と同じになるように、第二位置に対応する補助空調部９０によって空気の温度調整が行われる。このため、第一位置及び第二位置に配置された二個の試料ＳＰを同一温度の空気に晒すことができる。
【０１０８】
（３）試験室９内に収容可能な試料ＳＰの数は、二個に限らない。三個以上の試料ＳＰを其々配置するための載置台を試験室９内に設けてもよい。これに合わせて、試験室９の側壁における各試料ＳＰの載置台の近傍に、吹出口９５ａ、９５ｂと同様の吹出口９５及び温度検出部Ｔａ、Ｔｂと同様の温度検出部Ｔを設けてもよい。そして、空調室８の上壁８８等に、吹出口９１ａ、９１ｂと同様に、試験室９内に収容可能な試料ＳＰの数と同数の吹出口９１を設け、各吹出口９１と試験室９に設けた各吹出口９５との間に、給気ダクト９４ａ、９４ｂと同様の給気ダクト９４を配管してもよい。そして、当該配管した各給気ダクト９４に、ヒーター９３ａ、９３ｂ及び送風機９２ａ、９２ｂと同様のヒーター９３及び送風機９２を備えてもよい。このようにして、環境試験装置１に、補助空調部９０ａ、９０ｂと同様に、試験室９内に収容可能な試料ＳＰの数と同数の補助空調部９０を備えてもよい。
【０１０９】
この場合、制御部１０が、補助調整部１４ａ、１４ｂと同様に、試験室９内に収容可能な試料ＳＰの数と同数の補助調整部１４として機能し、各補助調整部１４が各補助空調部９０を個別に制御するようにしてもよい。これに合わせて、ステップＳ１３において、特定部１３が、試験室９内に収容可能な試料ＳＰの数と同数の試料ＳＰの配置位置に対応する、試験室９内に収容可能な試料ＳＰの数と同数の温度検出部Ｔによる検出温度ＰＶの中で一番高い温度を検出した温度検出部Ｔに対応する試料ＳＰの配置位置を第一位置として特定するようにしてもよい。そして、特定部１３が、当該第一位置とは異なる複数の試料ＳＰの配置位置を第二位置として特定し、当該特定した複数の第二位置に供給される空気の温度調整を行う補助空調部９０を、作業対象の補助空調部９０として特定するようにしてもよい。
【０１１０】
図７は、三個の試料ＳＰの配置位置の温度調整の一例を示す図である。例えば、本構成において、試験室９内に収容可能な試料ＳＰの数が三個であるとする。そして、室温センサＴＲによる検出温度ＰＶＴが設定温度ＳＶＴとなるように、主空調部８０によって空気の温度調整が行われている場合において、第一位置の空気の温度又は第一位置の近傍にある試料ＳＰの温度である基準温度ＰＶ１及び二個の第二位置の空気の温度又は二個の第二位置の近傍にある二個の試料ＳＰ其々の温度ＰＶ２ａ、ＰＶ２ｂが、図７（Ａ）〜（Ｃ）の黒丸部に示すように、設定温度ＳＶＴとは異なっているとする。
【０１１１】
図７（Ａ）は、基準温度ＰＶ１、一の第二位置での空気の温度又は当該一の第二位置の近傍にある試料ＳＰの温度ＰＶ２ｂと、他の第二位置での空気の温度又は当該他の第二位置の近傍にある試料ＳＰの温度ＰＶ２ａが、何れも設定温度ＳＶＴより低いことを示している。図７（Ｂ）は、基準温度ＰＶ１が設定温度ＳＶＴよりも高く、温度ＰＶ２ｂ及び温度ＰＶ２ａが設定温度ＳＶＴよりも低いことを示している。図７（Ｃ）は、基準温度ＰＶ１、温度ＰＶ２ｂ及び温度ＰＶ２ａが、何れも設定温度ＳＶＴより高いことを示している。
【０１１２】
これらの場合、本構成では、図７（Ａ）〜（Ｃ）の実線矢印で示すように、基準温度ＰＶ１が設定温度ＳＶＴとなるように、主空調部８０によって行われている空気の温度調整の調整能力が補正される。更に、図７（Ａ）〜（Ｃ）の破線矢印で示すように、二個の第二位置での空気の温度又は当該二個の第二位置の近傍にある二個の試料ＳＰの温度ＰＶ２ａ、ＰＶ２ｂが、基準温度ＰＶ１と同じになるように、各第二位置に対応する補助空調部９０によって空気の温度調整が行われる。
【０１１３】
このため、基準温度ＰＶ１が設定温度ＳＶＴと同じになるように変化することに追従するようにして、二個の第二位置での空気の温度又は当該二個の第二位置の近傍にある二個の試料ＳＰの温度ＰＶ２ａ、ＰＶ２ｂが設定温度ＳＶＴと同じになるように変化させることができる。これにより、第一位置及び二個の第二位置に配置された三個の試料ＳＰを設定温度ＳＶＴの空気に晒すことができる。
【０１１４】
（４）補助空調部９０に、ヒーター９３に代えて、給気ダクト９４内の空気を加熱可能な熱交換器等の加熱器を備えてもよい。
【０１１５】
（５）上記実施形態及び変形実施形態の構成では、特定部１３が、ステップＳ１３において、試験室９内に収容可能な試料ＳＰの数と同数の温度検出部Ｔによる検出温度ＰＶの中で一番高い温度を検出した温度検出部Ｔに対応する試料ＳＰの配置位置を第一位置として特定していた。しかし、ステップＳ１３において、特定部１３が第一位置を特定する方法はこれに限らない。
【０１１６】
例えば、ステップＳ１３において、特定部１３が、試験室９内に収容可能な試料ＳＰの数と同数の温度検出部Ｔによる検出温度ＰＶの平均値等の所定値に最も近い温度を検出した温度検出部Ｔに対応する試料ＳＰの配置位置を、第一位置として特定してもよい。これに合わせて、補助空調部９０に、ヒーター９３等の加熱器だけでなく、給気ダクト９４内の空気を冷却可能な冷却器を備えてもよい。この場合、ステップＳ１５において、当該加熱空調部９０を制御する補助調整部１４が、所謂ＰＩＤ制御を行うことによって、第二位置に対応する温度検出部Ｔによる検出温度ＰＶが、ステップＳ１４で設定された個別設定温度ＳＶ（＝基準温度ＰＶ１）と同じになるように、作動対象の補助空調部９０に含まれるヒーター９３の加熱能力及び／又は冷却器の冷却能力を調整するようにしてもよい。
【０１１７】
又は、ステップＳ１３において、特定部１３が、試験室９内に収容可能な試料ＳＰの数と同数の温度検出部Ｔによる検出温度ＰＶの中で一番低い温度を検出した温度検出部Ｔに対応する試料ＳＰの配置位置を、第一位置として特定してもよい。これに合わせて、補助空調部９０に、ヒーター９３等の加熱器に代えて、給気ダクト９４内の空気を冷却可能な冷却器を備えるようにしてもよい。この場合、ステップＳ１５において、当該加熱空調部９０を制御する補助調整部１４が、所謂ＰＩＤ制御を行うことによって、第二位置に対応する温度検出部Ｔによる検出温度ＰＶが、ステップＳ１４で設定された個別設定温度ＳＶ（＝基準温度ＰＶ１）と同じになるように、作動対象の補助空調部９０に含まれる冷却器の冷却能力を調整するようにしてもよい。
【０１１８】
（６）上記実施形態及び変形実施形態の構成では、試験室９内における各試料ＳＰの配置位置である載置台の近傍に、吹出口９５ａ、９５ｂと同様の吹出口９５及び温度検出部Ｔａ、Ｔｂと同様の温度検出部Ｔを設け、各試料ＳＰの配置位置に、温度調整した空気を供給する補助空調部９０ａ、９０ｂと同様の補助空調部９０を備える例について説明した。しかし、試験室９内に収容可能な試料ＳＰの配置位置に関係なく、試験室９内における複数の位置に、吹出口９５ａ、９５ｂと同様の吹出口９５及び温度検出部Ｔａ、Ｔｂと同様の温度検出部Ｔを設けてもよい。これに合わせて、当該複数の位置に、温度調整した空気を供給する補助空調部９０ａ、９０ｂと同様の補助空調部９０を備えるようにしてもよい。
【０１１９】
この場合、例えば、試験室９内に大型の試料ＳＰを一つだけ配置し、上述した制御を行うことで、主空調部８０によって試験室９内に供給される空気の温度を設定温度に調整させ、複数の補助空調部９０によって設定温度に温度調整させた空気を複数の吹出口９５から当該大型の試料ＳＰに対して供給させることができる。これにより、当該大型の試料ＳＰを均一に設定温度の空気に晒すことができる。また、試料ＳＰの数よりも少ない吹出口９５、温度検出部Ｔ及び補助空調部９０を設けて上述した制御を行うことで、複数の試料ＳＰを均一に温度調整された空気に晒すこともできる。
【０１２０】
また、上記実施形態及び変形実施形態では、本発明に係る環境形成装置の一例として、環境試験装置１について説明したが、本発明に係る環境形成装置は、環境試験装置に限らず、熱処理装置等、処理室内の処理対象物に温度調整した空気を供給して、当該処理対象物を均一に処理するための装置にも適用可能である。
【符号の説明】
【０１２１】
１  環境試験装置（環境形成装置）
８  空調室
９  試験室（処理室）
１０  制御部
１１  補正部
１２  主調整部
１３  特定部
１４、１４ａ、１４ｂ  補助調整部
１５  試験実行部
１６  カスケード調節器
５０  操作部
８０  主空調部
８１  空調機
８２  送風機
８３  吹出口
８４  吸込口
８８  上壁
８９  仕切壁
９０、９０ａ、９０ｂ  補助空調部
９１、９１ａ、９１ｂ  吹出口
９２、９２ａ、９２ｂ  送風機
９３、９３ａ、９３ｂ  ヒーター
９４、９４ａ、９４ｂ  給気ダクト
９５、９５ａ、９５ｂ  吹出口
１６１  一次調節器
１６２  二次調節器
１６１１  第一測定値入力部
１６１２  第一設定値入力部
１６２１  第二測定値入力部
１６２２  第二設定値入力部
ＰＶ、ＰＶａ、ＰＶｂ  温度検出部による検出温度
ＰＶＴ  室温センサによる検出温度（室温検出部による検出温度）
ＰＶ１  基準温度
ＰＶＲ  測定値
ＲＳＶＴ  補正後の設定温度
ＳＶＴ  設定温度
ＳＶ  個別設定温度
ＳＰ、ＳＰａ、ＳＰｂ  試料（処理対象物）
Ｔ、Ｔａ、Ｔｂ  温度検出部
ＴＲ  室温センサ（室温検出部）
【図１】
2019168435.tif 000003
【図２】
2019168435.tif 000004
【図３】
2019168435.tif 000005
【図４】
2019168435.tif 000006
【図５】
2019168435.tif 000007
【図６】
2019168435.tif 000008
【図７】
2019168435.tif 000009